(57)【特許請求の範囲】
【請求項１】
本体が帯状編地で構成され、本体の両端をスライドファスナーで開閉自在とした腹巻であって、
前記本体両端の縁部をそれぞれ腹巻の外側へ折り返すことにより形成した折り返し部を備え、
前記スライドファスナーは、腹巻の内側にファスナーテープの表面側とファスナーエレメントとが現出するように腹巻本体の両端縁部に取り付けられ、
前記折り返し部が、現出するよう取り付けられたファスナーエレメントとファスナーテープとを覆い隠しており、
前記スライドファスナーのスライダーは、スライダーの取っ手がファスナーエレメントと反対側である腹巻の外側に現出するよう取り付けられている
ことを特徴とする腹巻。
【請求項２】
さらに、本体の上端開口部および下端開口部の周縁を腹巻の内側へ折り返して形成した肉厚部を備える
ことを特徴とする請求項１記載の腹巻。
【請求項３】
前記帯状編地は、アクリル繊維、ポリエステル繊維、ポリプロピレン繊維、ポリアミド繊維およびポリウレタン繊維を組み合わせた合成繊維で混紡および交編されている
ことを特徴とする請求項１または２に記載の腹巻。
【発明の詳細な説明】
【技術分野】
【０００１】
本発明は、腹部に装着する腹巻に関するものであり、特に着脱が容易で着け心地の良い腹巻に関するものである。
【背景技術】
【０００２】
腹巻は腹部を冷やさないようにするために着用されるものであり、一般的に毛糸やパイル糸を起毛して内面を起毛面とした比較的分厚い編地で短筒状に形成されている。腹巻は、冬季や寒い環境下で、腹部に直接又は肌着の上に重ね着して着用されるので、嵩高くなり窮屈になって着け心地が悪い、また、腹部が突出して目立ってしまいファッション性を悪化させることがある。
【０００３】
最近では冬季に限らず夏季においても、家庭や職場、ショッピングセンター等の屋内だけでなく、電車やバスなどの交通機関でも冷房がよく効いているため、冷え性になりやすい女性は身体が冷えて変調をきたさないようにするために、薄い編地の短筒状の腹巻を使用することが増えてきている。この薄い編地の短筒状の腹巻は、健康志向への高まりから冬場でもランニングを行う人が増えており、運動後の汗で身体が冷えてしまうことを防ぐために着用されることもある。
【０００４】
このような厚い編地や薄い編地の短筒状の腹巻を着用する際には、足から通す場合と頭から被る場合がある。足から通す場合は、両手で腹巻の上端開口部を広げて片足ずつ通してから、脚部、臀部、腰部を通過させて腹部の位置まで引き上げて装着することになる。頭から被る場合は、両手で腹巻の下端開口部を広げて頭部を通して、首部、肩部、胸部を経て腹部の位置まで引き下げて装着することになる。
【０００５】
足から通す場合は、腹巻の上端開口部から下端開口部に片足ずつ不安定な姿勢で通すことになり、また足から腹部まで大きな力で引き上げなければならない。一方、頭から被る場合は、頭から腹部まで引き下げなければならず、肩部を通過させる時に大きな力で引き下げる必要があり、幼児や老人の力では着用が難しい、また、着用時に髪が乱れてしまうことが多々ある。
【０００６】
このように、短筒状の腹巻は、足から通す場合、頭から被る場合のいずれの場合でも、大きな引き上げ力や引き下げ力が必要になり、腹部への装着に手間取ることが多い。また、外出時に、暑さを感じて腹巻を外す場合や寒さを感じて腹巻を着ける場合には、穿いているズボンやスカートなどを脱がなければ着脱できない不便さがある。そのため、この装着に手間がかかる腹巻を解決するものとして、腹巻の両端を開放部とし、その両端に一対のスナップやボタンなどの係止具を取り付け、着脱自在とする前開きの腹巻が提案されている（例えば、特許文献１参照）。
【先行技術文献】
【特許文献】
【０００７】
【特許文献１】実用新案登録第３１６３０３２号公報
【発明の概要】
【発明が解決しようとする課題】
【０００８】
しかしながら、上記特許文献１の腹巻は、腹部に装着すると、スナップやボタンなどの係止具が突出し肌に当たったり、喰い込んだりして着用すると不快になるばかりでなく、長時間着用すると圧迫痕が生じて肌を傷めてしまうという問題がある。特に、ランニング
等の運動時に着用すると、係止具が身体の動きに追従することができず、痛みを伴うほど肌を圧迫してしまうおそれもある。
【０００９】
そこで、本発明は、上記のような問題点に鑑みなされたものであり、着脱が極めて容易で、冬用、夏用の腹巻としては勿論のこと、運動時に着用しても、肌を傷つけることのない着け心地のよい腹巻を提供することを目的とするものである。
【課題を解決するための手段】
【００１０】
上記の課題を解決し、その目的を達成するために、本発明に係る腹巻は、本体が帯状編地で構成され、本体の両端をスライドファスナーで開閉自在とした腹巻であって、前記本体両端の縁部をそれぞれ腹巻の外側へ折り返すことにより形成した折り返し部を備え、前記スライドファスナーは、腹巻の内側にファスナーテープの表面側とファスナーエレメントとが現出するように取り付けられ、前記折り返し部が、現出するよう取り付けられたファスナーエレメントとファスナーテープとを覆い隠しており、前記スライドファスナーのスライダーは、スライダーの取っ手がファスナーエレメントと反対側の腹巻の外側に現出するよう取り付けられていることを特徴とする。
【００１１】
これによれば、肌面側の一対のファスナーテープとファスナーエレメントが、腹巻本体の両端縁を折り返して形成した折り返し部により覆い隠されるので、肌に喰い込んで傷つけることのない、着用感に優れた腹巻が実現される。
【００１２】
また、スライドファスナーのスライダーを上下摺動することにより、一対のファスナーエレメントを噛合・分離させて腹巻本体の前面を開閉自在としているので装着が容易になる。
【００１３】
さらに、腹巻の表面側にはファスナーテープのみが現れ、ファスナーエレメントは外面に出ないので外観が優美になる。また、腹巻本体の表面に取り付けられたファスナーテープがラインの模様になり装飾的効果を発揮することも期待できる。
【００１４】
ここで、前記帯状編地は、複数の合成繊維を組み合わせてストレッチフライスで編成されているのが好ましい。
【００１５】
これによって、横方向の伸縮がよくなり腹部にぴったりと装着して身体の動作に応じて自由自在にフィットし、ずれ動いたりすることがない腹巻が実現可能である。また、着用時には弱めの緊締力が働くので、腹部を引き締めて美しいスタイルを創出することも可能である。さらに、運動やスポーツ時に出る発汗作用による冷却を抑えることができる。
【００１６】
ここで、前記合成繊維は、アクリル繊維、ポリエステル繊維、ポリプロピレン繊維、ポリアミド繊維、ポリウレタン繊維の中のいずれか２種以上の繊維で混紡および交編されているのが好ましい。
【００１７】
これによって、吸汗速乾性、吸放湿性、保温性および伸縮性を備え、腹巻としての優れた品質機能を具有することになる。
【発明の効果】
【００１８】
以上説明したように、本発明の腹巻は、腹部への取り付け、取り外しが極めて容易になると共に、腹部に着用した場合、ファスナーテープ、ファスナーエレメントが肌に直接触れないので肌を傷めることがなく、着け心地が良好になる。また、腹巻本体は、吸汗速乾性、吸放湿性、保温性、伸縮性に優れた複数の合成繊維で編成されているから、着用した際に腹部へぴったりとフィットしてずれたりすることがないので、運動やスポーツ用の腹巻として好適であり、また、嵩張ることもないので、夏季の冷房による冷えを防ぐ腹巻としても最適である。
【図面の簡単な説明】
【００１９】
【図１】腹巻の斜視図である。
【図２】図１のＡ−Ａ線拡大断面である。
【図３】一側部を折り返した腹巻の展開図である。
【発明を実施するための形態】
【００２０】
以下、本発明に係る腹巻の実施形態を図面に基づいて説明する。
【００２１】
本実施の形態に係る腹巻は、腹部に装着する短筒状の腹巻本体１で構成され、腹巻本体１は、腹部に巻きつける長さＬと、腹部を覆う幅Ｗとを有する横長の比較的薄い編地２で構成されている。
【００２２】
前記の編地は、緯編、経編のどちらでもよいが、生産のロットから考慮すると緯編の方が使い勝手がよく汎用性があるので適している。
【００２３】
編組織はフライス編、スムース編、天竺編などの基本的な編組織の他、基本編組織の変形編、添え糸編やパイル編などが適しているが、ストレッチフライス（ミラノリブ変形編）が最適である。
【００２４】
経編ではアトラス編、デンビー編、シャークスキン編、エラスチック（ストレッチニット）などで編むことができる。
【００２５】
編地にストレッチ性を付与する糸は、ポリウレタンを用いたＣＳＹ（コアスパンヤーン）、ＦＴＹ（フィラメントツイストヤーン）、ＤＴＹ（仮撚り糸、ドローテキスチャードヤーン）、ＰＴＴ、ＰＢＴ繊維（ポリトリメチレンテレフタレート、ポリブチレンテレフタレート）などを使用することができる。
【００２６】
編地を構成する繊維は、アクリル繊維、ポリエステル繊維、ポリプロピレン繊維、ポリアミド繊維、ポリウレタン繊維を組み合わせた合成繊維で混紡および交編された編地である。編地を構成する特定された繊維、所謂、アクリル繊維３３％、ポリエステル繊維３１％、ポリプロピレン繊維２２％、ポリアミド繊維１２％、ポリウレタン繊維２％の組成比率にすることにより、腹巻としての品質機能である保温性、吸汗速乾性、吸放湿性、伸縮性を具備する編地になる。
【００２７】
すなわち、軽量性、保温性、速乾性に優れるが吸湿性が低いという性質を持つアクリル繊維と、強くて腰があり丈夫であるが、吸湿性が極めて低い性質のポリエステル繊維と、軽くて保温性に優れ速乾性があるポリプロピレン繊維と、ドレープ性と丈夫で伸縮性の優れたポリアミド繊維と、伸縮性と弾性力に優れるが吸湿性が小さいポリウレタン繊維をそれぞれ前記の組成比率に限定することにより腹巻の適合条件の保温性に優れ、吸水速乾性、吸放湿性、伸縮性、フィット性を有する腹巻になる。
【００２８】
腹巻本体１の両端縁３，３の間には、スライドファスナー４が縫着されていて開閉自在になっている。このスライドファスナー４は、左右一対のファスナーテープ５，５と、ファスナーテープ５，５の対向するテープ側縁に沿ってそれぞれ取り付けられた左右一対のファスナーエレメント（務歯）６，６と、そのファスナーエレメント６，６に装着されて上下摺動することにより、ファスナーエレメント６，６を合・分離させるスライダー７とから構成されている。
【００２９】
スライドファスナー４は、ファスナーテープ５，５の裏面側５ｂ，５ｂが腹巻本体１の外側（腹巻の表面側）となり、ファスナーテープ５，５の表面側５ａ，５ａとファスナーエレメント６，６とが腹巻本体１の内側（腹巻の裏面側）となるように、腹巻本体１の両端縁３，３に縫着されており、腹巻本体１の内側、すなわち、着用者の身体側にファスナーエレメント６，６が現出するように取り付けられている。
【００３０】
折り返し部８は腹巻本体１の両端縁３，３を外側（腹巻の表面側）へ折り返して形成した縁部であり、この折り返し部８は、ファスナーテープ５，５の表面部５ａ，５ａと左右一対のファスナーエレメント６，６とを覆って隠すことができるように形成されている。
【００３１】
肉厚部９は腹巻本体１の上端開口部の周縁を内側（腹巻の裏面側）に折り返して形成した縁部であり、肉厚部１０は同じく腹巻本体１の下端開口部の周縁を内側（腹巻の裏面側）に折り返して形成した縁部であり、肉厚部９および肉厚部１０の上下の縁部によって、従来の腹巻の開口部のように自然に捲れかえって着用しにくかったり、ずれたりすることを防止している。
【００３２】
このように構成した腹巻は、スライドファスナー４の位置が前面中央部になるように腹部に巻きつけ、ファスナーエレメント６に装着された下部の位置にあるスライダー７を上方にスライドしていけば、左右一対のファスナーエレメント６，６が順次噛み合って閉じていきスライダー７が上端部に達すると、左右一対のファスナーエレメント６，６が全部噛み合った状態になり、腹巻本体１が腹部に装着される。
【００３３】
この時、肌面側にある左右一対のファスナーテープ５，５とファスナーエレメント６，６とが、腹巻本体１の両端縁３，３に形成された折り返し部８，８で覆われているので、スライドファスナー４が肌や肌着に直接当たることがなく着用感を良好にしている。また、ファスナーエレメント６，６が外面に現出することがないので外観も良くすることができる。
【００３４】
また、着用状態から外す場合においても、ズボンやスカートの上部を捲って腹巻を露出して上端部にあるスライダー７を下方に摺動させていけば、噛み合っていたファスナーエレメント６，６が分離して前面の中央部が開放されて容易に腹巻本体１を外すことができる。
【００３５】
以上、本発明における腹巻の実施形態に基づいて説明したが、本発明はこれらに限定されるものではなく、本発明の目的を達成し、且つ発明の要旨を逸脱しない範囲内で種々の設計変更が可能である。例えば、ここでは合成繊維を用いているが、綿やウール等の天然繊維が含まれていてもよい。
【産業上の利用可能性】
【００３６】
以上のように、本発明に係る腹巻は、冬季や夏季の保温用の腹巻としてだけでなく、運動やスポーツ時に着用するスポーツ腹巻としても好適である。
【符号の説明】
【００３７】
１  腹巻本体
２  帯状編地
３  両端縁
４  スライドファスナー
５  ファスナーテープ
６  ファスナーエレメント
７  スライダー
８  折り返し部
【図１】
0006328064.tif 000002
【図２】
0006328064.tif 000003
【図３】
0006328064.tif 000004